(57)【要約】  【課題】従来の高速パルスパタン発生器では出力パルス列のピーク値と時間間隔が揃っておらず、システム動作上マージンが確保されない問題があった。また、構成部品点数が多く、価格面のみならず調整も煩雑で時間を要する問題があった。このため、部品点数を減らし、かつピーク値変動、出力パルスの時間間隔変動を抑えた精度のよい高速パルスパタンの実現を目的とした。  【解決手段】電気クロック源に同期した半導体モードロックレーザと分散ファイバとのみで光パルス発生器を構成し、このパルス圧縮された出力光から光変調器でデータ変調を施し、パルスピーク可変機能付き平面光波回路型時間多重器で上記出力光を時間軸上で合波してビットレートをステップアップすることによりピーク値、時間間隔共に揃った高精度高速パルスパタンを発生している。【選択図】図１
2005184622.tif 000002
【特許請求の範囲】
【請求項１】
半導体モードロックレーザと一定の分散値を有する光ファイバとから構成された光パルス発生器と、
前記光パルス発生器の出力を入力とする光強度変調器と、
前記光強度変調器の出力を入力とし、かつ光パルスのピーク値を一定に揃えて出力する平面光波回路型時間多重器と、
前記半導体モードロックレーザを駆動する電気クロック源と、
前記電気クロック源出力を入力とし、かつ前記光強度変調器を駆動する電気信号を出力する電気パルスパタン発生器とを備えた構成であることを特徴とする高速パルスパタン発生器。
【請求項２】
電気クロック源で駆動される半導体モードロックレーザと一定の分散値を有する光ファイバとで光パルス列を発生させ、
前記クロック源で駆動される電気パルスパタン発生器の出力で前記光パルス列を光強度変調し、
前記光強度変調された前記光パルス列を平面光波回路型時間多重器に入力して光パルスのピーク値が一定に揃えられた前記光パルス列を出力することを特徴とする高速パルスパタン発生方法。
【請求項３】
請求項１に記載の高速パルスパタン発生器において、
前記平面光波回路型時間多重器が、１本の入力光パルス列を任意のパワー比で２本の光パルス列に分岐出力するチューナブルカプラと、
前記チューナブルカプラの出力の一方に接続される第一の光導波路と、
前記チューナブルカプラの出力の他方に接続され、入力光パルス列のビット周期の（２ｋ＋１）／２倍分（ｋは自然数）だけ伝搬時間が第一の導波路と異なる第二の光導波路と、
前記第一及び第二の光導波路の他端に接続され、前記第一および前記第二の光導波路を導波してきた２本の光パルス列を合波する固定カプラとから構成され、
前記チューナブルカプラの入力端子の１つを入力端子とし、固定カプラの出力端子の１つを出力端子とし、前記チューナブルカプラの分岐比を調整することで出力光パルスのピーク値を一定に揃えることが可能とし、かつ、入力光パルスのビットレートの２倍のビットレートの光パルスを出力する
ことを特徴とする高速パルスパタン発生器。
【請求項４】
請求項２に記載の高速パルスパタン発生方法であって、
前記平面光波回路型時間多重器において、入力された１本の前記光パルス列をチューナブルカプラで、任意のパワー比で２本の光パルス列に分岐し、
前記チューナブルカプラの出力の一方は第一の光導波路に入力され、
前記チューナブルカプラの出力の他方は第二の導波路において前記入力光パルス列のビット周期の（２ｋ＋１）／２倍分（ｋは自然数）だけ第一の導波路に対して伝搬時間がずらされ、
前記第一及び第二の光導波路から得られた伝播時間の異なるパルス列は第一の固定カプラで合波され、
前記チューナブルカプラの分岐比を調整することで出力光パルスのピーク値を一定に揃えることが可能とし、かつ、入力光パルスのビットレートの２倍のビットレートの光パルスを出力する
ことを特徴とする高速パルスパタン発生方法。
【請求項５】
請求項１に記載の高速パルスパタン発生器であって、
前記平面光波回路型時間多重器が、請求項３に記載の前記チューナブルカプラと第一及び第二の光導波路と固定カプラとからなる構成を基本要素とし、
前記基本要素ｎ個（ｎは２以上の自然数）から構成され、前記基本要素において前記チューナブルカプラの入力端子の１つを基本要素の入力端子とし、
また前記基本要素において前記固定カプラの出力端子の１つを基本要素の出力端子とし、第ｉ（ｉは１からｎ−１までの任意の自然数）番目の基本要素の出力端子を、第ｉ＋１番目の基本要素の入力端子に接続し、
第１の基本要素の入力端子を当該平面光波型時間多重器の入力端子とし、
第ｎの基本要素の出力端子を前記平面光波回路型時間多重器の出力端子とし、
各基本要素の前記チューナブルカプラの分岐比を調整することで、出力光パルスのピーク値を一定に揃えることが可能であり、かつ入力光パルスのビットレートの２ｎ倍のビットレートの光パルスが出力されることを特徴とする高速パルスパタン発生器。
【請求項６】
請求項１、請求項３、請求項５の何れかに記載の高速パルスパタン発生器であって、
前記平面光波回路型時間多重器の出力を電気信号に変換するフォトダイオードが光学的に結合されていることを特徴とする高速パルスパタン発生器。
【請求項７】
光パルス発生器と、該光パルス発生器の出力を入力とする光強度変調器と、光強度変調器を駆動する電気パルスパタン発生器とを基本要素とし、ｎ個（ｎは２以上の自然数）の基本要素と、
ｎ相の電気クロックを出力し、第ｋ相（ｋは１からｎまでの任意の自然数）の電気クロックが第ｋ番目の基本要素中の光パルス発生器と電気パルスパタン発生器とを駆動するｎ相電気クロック源と、
各基本要素中の光強度変調器の出力を合波するカプラとを備えていることを特徴とする高速パルスパタン発生器。
【請求項８】
光パルス発生器と、該光パルス発生器の出力を入力とする光強度変調器と、光強度変調器を駆動する電気パルスパタン発生器とを基本要素とし、該基本要素を  ｎ個（ｎは２以上の自然数）備え、
かつ、第ｋ番目の基本要素中の光パルス発生器と電気パルスパタン発生器とは、ｎ相の電気クロックを出力するｎ相電気クロック源の第ｋ相（ｋは１からｎまでの任意の自然数）の電気クロックにより駆動され、
各基本要素中の光強度変調器の出力はカプラにより合波されることを特徴とする高速パルスパタン発生方法。
【請求項９】
請求項７に記載の高速パルスパタン発生器において、
前記カプラは前記チューナブルカプラであり、
前記チューナブルカプラの合波比を調整することで出力光パルス列のピーク値を一定に揃えることが可能であることを特徴とする高速パルスパタン発生器。
【請求項１０】
請求項５に記載の高速パルスパタン発生器において、
前記光パルス発生器の出力ピークパワーを調整することが可能であり、かつ出力光パルスのピーク値を一定に揃えることが可能であることを特徴とする高速パルスパタン発生器。
【請求項１１】
請求項５乃至請求項７の何れかに記載の高速パルスパタン発生器であって、
前記カプラ出力を電気信号に変換するフォトダイオードが光学的に結合されていることを特徴とする高速パルスパタン発生器。
【発明の詳細な説明】
【技術分野】
【０００１】
本発明は、電気部品のみでは発生が困難な程度に高速なパルスパタンを発生する装置に関するものである。
【背景技術】
【０００２】
高速パルスパタン発生器の従来例としては下記「非特許文献１」、「非特許文献２」で報告されている構成が知られており、図６はこれら文献で開示されている回路と同等の構成である。この高速パルスパタン発生器の動作は以下の通りである。すなわち、レーザダイオード６１、光強度変調器Ａ６２、光位相変調器６３、光バンドパスフィルタ６４および分散ファイバ６５から構成される光パルス発生器６６において光パルスが生成される。この光パルス発生器６６の動作原理は、基本的には分散ファイバ６５でパルス圧縮がかかるように光位相変調器６３で周波数チャープを予め掛けておくと言うものである。
【０００３】
この原理を下記「非特許文献１」記載の図と同様の構成である図７により説明する。光信号は光位相変調器６３で周波数ｆ０を中心とした時間変動を受ける。この光周波数の時間変動がチャープである。周波数チャープが掛けられた光信号は分散ファイバ６５に入力される。ここで使用する分散ファイバ６５が、周波数の高い光ほど遅延が小さく、周波数が低い光ほど遅延が大きくなるように伝搬させる特性を有しているものとする。このとき周波数ｆ。の光の遅延量を基準に考えると、図７に示したようにｆ。以下の周波数の部分は遅れ、ｆ。以上の周波数の部分は進む。結果として図７に示したような、周波数チャープの周期と同一の繰り返し周期を有する細い光パルス列が生成される。尚、図６の構成中の光強度変調器Ａ６２は電気クロック源７０から出力されるクロックにより駆動されており、パルスが生成されない部分の残光を除去して消光比を高める役割を果たすもので、光バンドパスフィルタ６４は図７のハッチで示された周波数チャープの非線形が強い周波数部分を除去しパルス形状を整える役割を果たす。
【０００４】
以上のようにして生成された光パルス列は、電気パルスパタン発生器７１で駆動される光強度変調器Ｂ６７においてデータ変調される。更にデータ変調された光パルスは、時間多重器６８において整数倍のビットレートの光パルス列へと多重化される。光信号を入力とする部品に対しては、多重化された光パルス列が入力信号となる。また電気信号を入力とする部品に対しては、時間多重器の後段に配置したフォトダイオードで電気信号へ変換された後、入力信号として供される。
【０００５】
【非特許文献１】T. Otsuji, M. Yaita, T. Nagatsuma, and E Sano, “10-80Gb/s Highly  Extinctive Electrooptic Pulse PatternGeneration”, IEEE Journal of Selected  Topics in Quantum Electronics, Vol.2, No.3, pp.643-649 (1996)
【非特許文献２】T. Otsuji, T. Nagatsuma, K. Kato, and M. Yoneyama, “Widely tunable  electrooptic pulse-pattern generation and itsapplication to on-wafer large-signal characterization of ultra high-speedelectronic devices”, Optical and Quantum Electronics, Vol.28, pp.991-1005(1996)
【発明の開示】
【発明が解決しようとする課題】
【０００６】
しかしながら従来例を用いて高速パルス発生器を構成するとき、以下のような課題が存在する。  
第一は、構成部品点数が多いことである。特に個別部品で構成した場合、構成部品点数が多いため、最適なパルスパタンの発生を得るため、組み立て調整に多くの手間と時間を要する。  
第二は、パルス列のピーク値と時間間隔にばらつきが存在することである。
【０００７】
従来例が記載されている「非特許文献１」および「非特許文献２」においては、出力パルス列のピーク値と時間間隔のばらつきを抑制する手段が記述されていない。そのため、「非特許文献１」のFig.１１で確認できるように、出力信号のパルスピーク値は揃っておらず、同時にパルス列の時間間隔についてもばらつきが認められる。
【０００８】
パルスピーク値のばらつきはパルスの有無を判定するためのパワー閾値のマージンを減らし、パルス列の時間間隔のばらつきはパルスの有無を判定するタイミングの範囲を狭めてしまうことから、高速パルスパタンを使用する多くのシステムにおいて、これらのばらつきを抑えることが求められる。
【０００９】
本発明は、上記問題点を解決し、出力信号のパルスピーク値が揃っており、かつパルス間隔のばらつきを抑えた高速パルスパタン発生器の提供を目的とするものである。
【課題を解決するための手段】
【００１０】
上記目的を達成するために、上記課題のうち第一の課題については以下の第１乃至第３の各発明により解決している。すなわち、
第１の発明は、請求項１および請求項２で示されるもので、請求項１においては、半導体モードロックレーザと一定の分散値を有する光ファイバとから構成された光パルス発生器と、前記光パルス発生器の出力を入力とする光強度変調器と、前記光強度変調器の出力を入力とし、かつ光パルスのピーク値を一定に揃えて出力する平面光波回路型時間多重器と、  前記半導体モードロックレーザを駆動する電気クロック源と、前記電気クロック源出力を入力とし、かつ前記光強度変調器を駆動する電気信号を出力する電気パルスパタン発生器とを備えた構成の高速パルスパタン発生器について規定している。
【００１１】
また、請求項２においては、電気クロック源で駆動される半導体モードロックレーザと一定の分散値を有する光ファイバとで光パルス列を発生させ、前記クロック源で駆動される電気パルスパタン発生器の出力で前記光パルス列を光強度変調し、前記光強度変調された前記光パルス列を平面光波回路型時間多重器に入力して光パルスのピーク値が一定に揃えられた前記光パルス列を出力する高速パルスパタン発生方法について規定している。
【００１２】
第２の発明は、請求項３乃至請求項５に係るものであり、請求項１に記載の高速パルスパタン発生器において、前記平面光波回路型時間多重器が、１本の入力光パルス列を任意のパワー比で２本の光パルス列に分岐出力するチューナブルカプラと、前記チューナブルカプラの出力の一方に接続される第一の光導波路と、前記チューナブルカプラの出力の他方に接続され、入力光パルス列のビット周期の（２ｋ＋１）／２倍分（ｋは自然数）だけ伝搬時間が第一の導波路と異なる第二の光導波路と、前記第一及び第二の光導波路の他端に接続され、前記第一および前記第二の光導波路を導波してきた２本の光パルス列を合波する固定カプラとから構成され、前記チューナブルカプラの入力端子の１つを入力端子とし、固定カプラの出力端子の１つを出力端子とし、前記チューナブルカプラの分岐比を調整することで出力光パルスのピーク値を一定に揃えることが可能とし、かつ、入力光パルスのビットレートの２倍のビットレートの光パルスを出力する構成の高速パルスパタン発生器について規定している。
【００１３】
請求項３においては、請求項１に記載の高速パルスパタン発生器において、前記平面光波回路型時間多重器が、１本の入力光パルス列を任意のパワー比で２本の光パルス列に分岐出力するチューナブルカプラと、前記チューナブルカプラの出力の一方に接続される第一の光導波路と、前記チューナブルカプラの出力の他方に接続されると同時に入力光パルス列のビット周期の（２ｋ＋１）／２倍分（ｋは自然数）だけ伝搬時間が第一の導波路と異なる第二の光導波路と、前記第一及び第二の光導波路の他端に接続されると同時に前記第一および前記第二の光導波路を導波してきた２本の光パルス列を合波する固定カプラとから構成され、前記チューナブルカプラの入力端子の１つを入力端子とし、固定カプラの出力端子の１つを出力端子とし、前記チューナブルカプラの分岐比を調整することで出力光パルスのピーク値を一定に揃えることが可能とし、同時に、入力光パルスのビットレートの２倍のビットレートの光パルスを出力する構成の高速パルスパタン発生器について規定している。
【００１４】
請求項４においては、請求項２に記載の高速パルスパタン発生方法であって、  前記平面光波回路型時間多重器において、入力された１本の前記光パルス列をチューナブルカプラで、任意のパワー比で２本の光パルス列に分岐し、前記チューナブルカプラの出力の一方は第一の光導波路に入力され、前記チューナブルカプラの出力の他方は第二の導波路において前記入力光パルス列のビット周期の（２ｋ＋１）／２倍分（ｋは自然数）だけ第一の導波路に対して伝搬時間がずらされ、前記第一及び第二の光導波路から得られた伝播時間の異なるパルス列は第一の固定カプラで合波され、前記チューナブルカプラの分岐比を調整することで出力光パルスのピーク値を一定に揃えることが可能とし、かつ、入力光パルスのビットレートの２倍のビットレートの光パルスを出力する高速パルスパタン発生方法について規定している。
【００１５】
請求項５においては、請求項１に記載の高速パルスパタン発生器であって、
前記平面光波回路型時間多重器が、請求項２に記載の前記チューナブルカプラと第一及び第二の光導波路と固定カプラとからなる構成を基本要素とし、前記基本要素ｎ個（ｎは２以上の自然数）から構成され、前記基本要素において前記チューナブルカプラの入力端子の１つを基本要素の入力端子とし、また前記基本要素において前記固定カプラの出力端子の１つを基本要素の出力端子とし、第ｉ（ｉは１からｎ−１までの任意の自然数）番目の基本要素の出力端子を、第ｉ＋１番目の基本要素の入力端子に接続し、第１の基本要素の入力端子を当該平面光波型時間多重器の入力端子とし、第ｎの基本要素の出力端子を前記平面光波回路型時間多重器の出力端子とし、各基本要素の前記チューナブルカプラの分岐比を調整することで、出力光パルスのピーク値を一定に揃えることが可能であり、かつ入力光パルスのビットレートの２ｎ倍のビットレートの光パルスが出力されることを高速パルスパタン発生器について規定している。
【００１６】
第３の発明は、請求項６に係るもので、請求項１、請求項３、請求項５の何れかに記載の高速パルスパタン発生器であって、前記平面光波回路型時間多重器の出力を電気信号に変換するフォトダイオードが光学的に結合されている構成の高速パルスパタン発生器について規定している。
【００１７】
前記第二の課題に対しては、以下の第４乃至第７の発明により解決している。すなわち、第４の発明は請求項７および請求項８に係るもので、請求項７においては、光パルス発生器と、該光パルス発生器の出力を入力とする光強度変調器と、光強度変調器を駆動する電気パルスパタン発生器とを基本要素とし、ｎ個（ｎは２以上の自然数）の基本要素と、ｎ相の電気クロックを出力し、第ｋ相（ｋは１からｎまでの任意の自然数）の電気クロックが第ｋ番目の基本要素中の光パルス発生器と電気パルスパタン発生器とを駆動するｎ相電気クロック源と、各基本要素中の光強度変調器の出力を合波するカプラとを備えた構成の高速パルスパタン発生器を規定している。
【００１８】
また、請求項８においては、光パルス発生器と、該光パルス発生器の出力を入力とする光強度変調器と、光強度変調器を駆動する電気パルスパタン発生器とを基本要素とし、該基本要素をｎ個（ｎは２以上の自然数）備え、かつ、第ｋ番目の基本要素中の光パルス発生器と電気パルスパタン発生器とは、ｎ相の電気クロックを出力するｎ相電気クロック源の第ｋ相（ｋは１からｎまでの任意の自然数）の電気クロックにより駆動され、各基本要素中の光強度変調器の出力はカプラにより合波される高速パルスパタン発生方法について規定している。
【００１９】
第５の発明は、請求項９に係るもので、請求項７に記載の高速パルスパタン発生器において、前記カプラは前記チューナブルカプラであり、前記チューナブルカプラの合波比を調整することで出力光パルス列のピーク値を一定に揃えることが可能である高速パルスパタン発生器について規定している。
【００２０】
第６の発明は、請求項１０に係るもので、請求項７に記載の高速パルスパタン発生器において、前記光パルス発生器の出力ピークパワーを調整することが可能であり、かつ出力光パルスのピーク値を一定に揃えることが可能である高速パルスパタン発生器について規定している。
【００２１】
第７の発明は請求項１１に係るもので、請求項１１においては、請求項７、請求項９、請求項１０、の何れかに記載の高速パルスパタン発生器であって、前記カプラ出力を電気信号に変換するフォトダイオードが光学的に結合されている高速パルスパタン発生器について規定している。
発生器について規定している。
【発明の効果】
【００２２】
本発明の前記第１から第３の発明によれば、構成部品点数が少なく、且つ出力のパルスピーク値とパルス時間間隔が揃った高速パルスパタン発生方法を提示し、と高速パルスパタン発生器を構成することが可能である。また、本発明の第４から第７の発明によっても、出力のパルスピーク値とパルス時間間隔が揃った高速パルスパタン発生方法を提示し、高速パルスパタン発生器を構成することが可能となる。
【発明を実施するための最良の形態】
【００２３】
（第一の実施の形態）
図１に本発明による第一の実施の形態を示す。光パルス発生器１１は半導体モードロックレーザ１２と分散ファイバ１３の２部品で構成されており、「背景技術」の項で述べた光パルス発生器６６の５部品構成と比べると大幅に簡略化されている。半導体モードロックレーザ１２は、入力電気クロック１４の周波数と同一の繰り返し周波数で光パルス列を発生する。また半導体モードロックレーザ１２で発生する光パルス列は周波数チャープを有しており、分散ファイバ１３においてパルス時間幅が圧縮される。パルス時間幅の圧縮は、後段の時間多重器１６において時間多重化する際、隣接パルスと時間軸上で重ならないようにするためのものである。
【００２４】
以上のようにして光パルス発生器１１で生成された光パルス列は、光強度変調器１５に入力されデータ変調を受ける。次いで、データ変調を受けた光パルス列は、パルスピーク可変機能付き平面光波回路型時間多重器１６に入力される。この時間多重器１６の詳細な構成を図２に示す。図２に示す時間多重器は平面光波回路プラットフォーム上に形成されており、光導波路１〜８、固定カプラ１〜２（以下、カプラと記す）チューナブルカプラ１〜２を集積している。
【００２５】
以下、図２の時間多重器の動作について説明する。入力されたビットレートｆ（ｂｉｔ／ｓ）の光パルス列は、チューナブルカプラ２１で２本のパルス列に分岐される。ここでチューナブルカプラ２１は分岐された２本のパルス列のパワーの割合をカプラの結合状態を変化させることにより調整することが可能であり、２本のパルス列がカプラ２２で合波されて出力されるまでの総パワー損失の差分が補償されるよう、２本のパルス列のパワーの割合が設定される。これにより、カプラ２２から出力されるパルス列のピーク値は揃うことになる。また、２本のパルス列が通る光導波路２３と光導波路２４は、入カパルスのビットレートｆ（ｂｉｔ／ｓ）の逆数の３／２倍分の３／２ｆ（ｓ）だけ伝搬時間に差がつくよう光路長が設定されている。従ってカプラ２２で合波され出力されるパルス列は、図３に示すような２ｆ（ｂｉｔ／ｓ）のパルス列となる。ここで伝搬時間差を与える光導波路２３と光導波路２４及び合波するカプラ２２は平面光波回路上に集積されており、光ファイバと個別カプラで実現する場合よりも小型化されている。
【００２６】
よって本第１の実施の形態の時間多重器１６での温度揺らぎによる光路長揺らぎは小さく、結果として伝搬時間差の揺らぎも小さいのでパルスの時間間隔の揺らぎ・ばらつきは抑えられる。以上から、特別な処理が施されていなかった従来の例と比較して、パルスピークが揃い且つパルス時間間隔のばらつきが抑えられた２ｆ（ｂｉｔ／ｓ）の光パルス列がカプラ２２の出力で与えられる。更に同様の動作で、チューナブルカプラ２５、光導波路２５、光導波路２６、カプラ２８により２ｆ（ｂｉｔ／ｓ）の光パルス列は４ｆ（ｂｉｔ／ｓ）の光パルス列へ時間多重される。光信号を入力とする部品に対しては、光導波路２８から取り出される２ｆ（ｂｉｔ／ｓ）の光パルス列もしくは光導波路２９から取り出される４ｆ（ｂｉｔ／ｓ）の光パルス列そのものが入力信号となる。また電気信号を入力とする部品に対しては、時間多重器１６の後段に配置したフォトダイオド１７で２ｆ（ｂｉｔ／ｓ）もしくは４ｆ（ｂｉｔ／ｓ）の光パルス列を電気信号へ変換した後、被測定デバイス（ＤＵＴ）の入力信号として供される。
（第二の実施の形態）
図４に本発明による第二の実施の形態を示す。光パルス発生器Ａ４１と電気パルスパタン発生器Ａ４２は２相出力発振器４３の周波数ｆ（Ｈｚ）、位相０度のクロックにより駆動されている。その結果、光強度変調器Ａ４４の出力は図５に示したようなｆ（ｂｉｔ／ｓ）の光パルス列となる。
【００２７】
一方、光パルス発生器Ｂ４５と電気パルスパタン発生器Ｂ４６は２相出力発振器の周波数ｆ（Ｈｚ）、位相１８０度のクロックに駆動されている。その結果、光強度変調器Ｂ４７は光強度変調器Ａ４４の出力より半ビット遅延したｆ（ｂｉｔ／ｓ）の光パルス列を出力する。光強度変調器Ａ４４の出力及び光強度変調器Ｂ４７の出力を、伝搬遅延を等しくしてチューナブルカプラ４９で合波すると、図５に示したように２ｆ（ｂｉｔ／ｓ）の光パルス列が得られる。ここで得られた２ｆ（ｂｉｔ／ｓ）の光パルス列のパルス時間間隔は、２相出力発振器４３の１８０度の出力位相差、及び光強度変調器Ａ，Ｂの出力からの等しい伝搬遅延で決まり１／２ｆ（ｓ）となる。ここで、電気信号である２相出力発振器４３の出力はタイミング（＝位相差）の制御性が良く、特別な対処が施されていなかった従来例と比べて高精度に時間間隔を揃えることが出来る。また、パルスピーク値に関しても、光パルス発生器ＡおよびＢの出力ピークパワーを調整もしくはチューナブルカプラにおいて合波する際の結合状態を変化させることによりパワーの割合を調整することで、特別な対処が施されていなかった従来例よりも均一に揃えることが可能である。光信号を入力とする部品に対しては、フォトダイオード５０で２ｆ（ｂｉｔ／ｓ）の光パルス列を電気信号へ変換した後、被測定デバイス（ＤＵＴ）の入力信号として供される。
【００２８】
（その他の実施の形態）
第一の実施の形態では、時間多重器１６内の光導波路２３と光導波路２４及び光導波路２６と光導波路２７の伝搬時間差としてそれぞれ
３／２ｆ（ｓ）および３／４ｆ（ｓ）
を設定しているが、これをそれぞれ（２ｋ＋１）／２（ｓ）、（２ｋ＋１）／４（ｓ）（ｋは自然数）とした場合でも同様の効果が得られる。  
第二の実施の形態では、光パルス発生器、電気パルスパタン発生器、及び光強度変調器から成る基本構成要素２組と２相出力発振器を用いて２ｆ（ｂｉｔ／ｓ）のパルス列を発生させているが、これを基本構成要素ｎ組（ｎは自然数）とｎ相出力発振器を用いれば、ｎｆ（ｂｉｔ／ｓ）のパルス列を発生させることが可能である。
【図面の簡単な説明】
【００２９】
【図１】本発明の第一の実施の形態を示す回路構成図。
【図２】パルスピーク可変機能付き平面光波回路型時間多重器の構成図。
【図３】時間多重器において時間多重化が成される原理説明図。
【図４】本発明の第二の実施の形態を示す回路構成図。
【図５】本発明の第二の実施の形態の動作を説明のするタイムチャート。
【図６】従来の高速パルスパタン発生器の回路構成図。
【図７】従来例のパルス発生の原理説明図。
【符号の説明】
【００３０】
１１：光パルス発生器          １２：半導体モードロックレーザ
１３：分散ファイバ            １４：電気クロック源
１５：光強度変調器            
１６：パルスピーク可変機能付き平面光波回路型時間多重器
１７：フォトダイオード
２１、２５：チューナブルカプラ      ２２、２８：カプラ
２３，２４，２６，２７，２９：光導波路
４１：光パルス発生器Ａ          ４２：電気パルスパタン発生器Ａ
４３：２相出力発振器          ４４：光強度変調器Ａ
４５：光パルス発生器Ｂ          ４６：電気パルスパタン発生器Ｂ
４７：光強度変調器Ｂ          ４９：チューナブルカプラ
５０：フォトダイオード          ６１：レーザダイオード  
６２：光強度変調器Ａ          ６３：光位相変調器
６４：光バンドパスフィルタ        ６５：分散ファイバ
６６：光パルス発生器          ６７：光強度変調器Ｂ
６８：時間多重器            ６９：フォトダイオード
７０：電気クロック源          ７１：電気パルスパタン発生器
【図１】
2005184622.tif 000003
【図２】
2005184622.tif 000004
【図３】
2005184622.tif 000005
【図４】
2005184622.tif 000006
【図５】
2005184622.tif 000007
【図６】
2005184622.tif 000008
【図７】
2005184622.tif 000009